(57)【要約】【課題】  ラップトップＰＣやハンドヘルドＰＣ等の携帯端末装置の通信の速度や品質を損なうことなく、アンテナ部を制御する方法及びこのような制御手段を備えた携帯端末装置を提供する。【解決手段】  携帯端末装置１の使用状況を判断する使用状況判断ステップと、前記使用状況判断ステップにおいて判断した使用状況に応じて、前記複数のアンテナ部のうち使用を中止するアンテナ部を決定する使用中止決定ステップと、前記使用中止決定ステップにおいて使用の中止を決定したアンテナ部の使用を中止する使用中止ステップと、を含み、前記使用状況判断ステップは、前記携帯端末装置１が備える表示部１１の表示方向に基づいて使用状況を判断する。【選択図】        図１２
2006340180.tif 000002
【特許請求の範囲】
【請求項１】
携帯端末装置が備える複数のアンテナを制御する方法であって、
前記携帯端末装置の使用状況を判断する使用状況判断ステップと、
前記使用状況判断ステップにおいて判断した使用状況に応じて、前記複数のアンテナのうち使用を中止するアンテナを決定する使用中止決定ステップと、
前記使用中止決定ステップにおいて使用の中止を決定したアンテナの使用を中止する使用中止ステップと、を含み、
前記使用状況判断ステップは、前記携帯端末装置が備える表示部の表示方向に基づいて使用状況を判断する方法。
【請求項２】
携帯端末装置が備える複数のアンテナを制御する方法であって、
前記携帯端末装置の使用状況を判断する使用状況判断ステップと、
前記使用状況判断ステップにおいて判断した使用状況に応じて、前記複数のアンテナのうち使用を中止するアンテナを決定する使用中止決定ステップと、
前記使用中止決定ステップにおいて使用の中止を決定したアンテナの使用を中止する使用中止ステップと、を含み、
前記使用状況判断ステップは、前記携帯端末装置が備える保持方向感知部が感知する保持方向に基づいて使用状況を判断する方法。
【請求項３】
請求項１記載の方法において、
前記使用状況判断ステップは、前記携帯端末装置が備える設置状況感知部が感知する設置状況に基づいて使用状況を判断する方法。
【請求項４】
請求項３記載の方法において、
前記携帯端末装置は、ラップトップＰＣ又はハンドヘルドＰＣである方法。
【請求項５】
複数のアンテナを備える携帯端末装置であって、
前記携帯端末装置は、当該携帯端末装置の使用状況を判断する使用状況判断手段と、
前記使用状況判断手段において判断した使用状況に応じて、前記複数のアンテナのうち使用を中止するアンテナを決定する使用中止決定手段と、
前記使用中止決定手段において使用の中止を決定したアンテナの使用を中止する使用中止手段と、を含み、
前記使用状況判断手段は、前記携帯端末装置が備える表示部の表示方向に基づいて使用状況を判断する携帯端末装置。
【請求項６】
複数のアンテナを備える携帯端末装置であって、
前記携帯端末装置は、当該携帯端末装置の使用状況を判断する使用状況判断手段と、
前記使用状況判断手段において判断した使用状況に応じて、前記複数のアンテナのうち使用を中止するアンテナを決定する使用中止決定手段と、
前記使用中止決定手段において使用の中止を決定したアンテナの使用を中止する使用中止手段と、を含み、
前記使用状況判断手段は、前記携帯端末装置が備える保持方向感知部が感知する保持方向に基づいて使用状況を判断する携帯端末装置。
【請求項７】
請求項５記載の携帯端末装置において、
前記使用状況判断手段は、前記携帯端末装置が備える設置状況感知部が感知する設置状況に基づいて使用状況を判断する携帯端末装置。
【請求項８】
請求項７記載の携帯端末装置において、
前記携帯端末装置は、ラップトップＰＣ又はハンドヘルドＰＣである携帯端末装置。
【発明の詳細な説明】
【技術分野】
【０００１】
本発明は、例えば、複数のアンテナを備えた携帯端末装置の当該アンテナの制御方法に関する。さらに詳しくは、当該携帯端末装置の使用状況に応じてアンテナを制御する方法およびその携帯端末装置に関する。
【背景技術】
【０００２】
近年、携帯端末装置から発せられる電磁波の人体に対する影響への関心が高まっており、このような電磁波の人体への吸収を低く抑える技術は、これらの携帯端末装置の設計上の課題となっている。例えば、米国においては、人体に吸収される電磁波の電力量の指標であるＳＡＲ；Ｓｐｅｃｉｆｉｃ  Ａｂｓｏｒｐｔｉｏｎ  Ｒａｔｅの許容量を１．６Ｗ／ｋｇ以下とする基準が定められている。
【０００３】
このような状況において、従来、無線で通信を行うための複数のアンテナを備えた携帯端末装置において、当該複数のアンテナのうち、ＳＡＲ特性の良好なものを常に選択して使用するための方法が提案されている。例えば、特許文献１において、携帯端末装置（例えば携帯電話端末）に関するＳＡＲを低減するために、「全ての利用形態において良好なＳＡＲ特性が得られるための処置が施された第１アンテナ」と、「このような処置が施されていない第２アンテナ」とを当該携帯端末装置の使用状況に応じて切り替えて使用する方法が開示されている。
【０００４】
この方法は、具体的には、外部データ端子が使用状態にあるか否か、通信形態がハンズフリー通信か否か、外部音声通信端子が使用状態にあるか否か、カメラ部が使用状態にあるか否か、画像通信状態にあるか否か、パケット通信状態にあるか否か等の当該携帯端末装置の使用状況によって、前記第１アンテナと第２アンテナを切り換えるものである。さらに、当該携帯端末装置の人体との距離を判別する方法、当該携帯端末装置の筐体の開閉を検出する方法に基づくものも開示されている。このように、特許文献１で開示された方法は、携帯電話端末の通信の速度や品質を低下させることをできるだけ回避しつつ、ＳＡＲ特性を改善するものである。
【特許文献１】特開２００３−２８３３９３号公報
【発明の開示】
【発明が解決しようとする課題】
【０００５】
しかしながら、この様な方法を例えばラップトップＰＣやハンドヘルドＰＣに応用すると、新たな課題が生じる。
【０００６】
より具体的には、携帯電話端末は、上述のように、データ通信端末として、音声通信端末として、カメラとして、画像通信端末として、或いはパケット通信端末として、等様々な使用状況が想定される。従って、それぞれの使用状況に応じてアンテナを選択するために、上述のような複雑な制御方法を用いる必要がある。さらには、携帯電話端末として、端末装置の大きさを小さくしなければいけないという制約がある。そのため、複数のアンテナを備えるといっても、音声通話等で人体に密着して使用する場合には、どの位置のアンテナを選択しても送信出力そのものを小さくしない限りＳＡＲを低く抑えることが難しくなることが想定される。従って、このような場合には、特許文献１で開示された方法においては、ＳＡＲ特性を良好に保つために、送信出力を制限する処置を行ったアンテナを選択する必要がある。この場合には、当該携帯電話端末の通信の速度や品質の低下を許容せざるを得ない。
【０００７】
一方、ラップトップＰＣやハンドヘルドＰＣの場合、上述の携帯電話端末と比較して、使用形態はある程度限定されている。さらに、これらの携帯端末装置は、端末装置としての大きさの制約も比較的緩いものとなっている。このような状況においては、上述のような携帯電話端末装置におけるアンテナの制御方法をそのままラップトップＰＣやハンドヘルドＰＣに応用すると、コントロールが複雑になりすぎることがある。このような複雑な制御を実現するためには、使用状況を検出するためのセンサー等の機器を多く必要とする。そのため、携帯端末装置自体の機構が複雑なものとなり、それに応じて故障の原因も多くなる。さらには、上述のような出力を低く制限したアンテナを選択すると、当該携帯端末装置の通信の速度や品質が低下する、という課題も生じる。
【０００８】
上述のような状況において、ラップトップＰＣやハンドヘルドＰＣ等の携帯端末装置の通信の速度や品質を損なうことなく、アンテナを制御する方法及びこのような制御手段を備えた携帯端末装置の提供が望まれている。
【課題を解決するための手段】
【０００９】
本発明は、携帯端末装置が備える複数のアンテナを制御する方法であって、前記携帯端末装置の使用状況を判断する使用状況判断ステップと、前記使用状況判断ステップにおいて判断した使用状況に応じて、前記複数のアンテナのうち使用を中止するアンテナを決定する使用中止決定ステップと、前記使用中止決定ステップにおいて使用の中止を決定したアンテナの使用を中止する使用中止ステップと、を含み、前記使用状況判断ステップは、前記携帯端末装置が備える表示部の表示方向に基づいて使用状況を判断する方法である。
【００１０】
あるいは、前記使用状況判断ステップは、前記携帯端末装置が備える保持方向感知部が感知する保持方向に基づいて使用状況を判断する方法である。
【００１１】
また、前記使用状況判断ステップは、前記携帯端末装置が備える設置状況感知部が感知する設置状況に基づいて使用状況を判断する方法である。
【００１２】
この発明によれば、携帯端末装置の使用状況に応じて複数設置されたアンテナのうち使用を中止するアンテナが適宜決定される。そして、当該携帯端末装置の使用状況は、表示部の表示方向、保持方向、並びにこれらと設置状況の組合せに基づいて判断される。また、当該複数設置されたアンテナは、必ずしも出力を低く制限したものを使用する必要はない。これらの発明に係る方法は、特に、例えば、ラップトップＰＣやハンドヘルドＰＣにおけるアンテナを好適に制御する。
【発明の効果】
【００１３】
本発明に係る方法によれば、通信の速度や品質を損なうことなく、当該携帯端末装置のアンテナを制御して、人体へのＳＡＲを低く抑えることができる。特に、例えば、ラップトップＰＣやハンドヘルドＰＣにおいて、ＳＡＲを的確にコントロールすることができる。
【発明を実施するための最良の形態】
【００１４】
以下に、本発明の好適な実施形態を図面に基づいて説明する。
【００１５】
図１に本発明の好適な実施形態の一例に係る携帯端末装置１の構成の概要を示す。携帯端末装置１は、略直方体の２枚の筐体１４及び筐体１５を備える。さらに筐体１４は入力部１０を備え、筐体１５は、表示部１１を備える。さらに、筐体１４及び筐体１５は、それぞれの端部の中央の一点で連結部１３によって連結され、これらの筐体を互いに開閉する方向に回動自在である。さらに、筐体１４に筐体１５が立接した状態で筐体１５を少なくとも１８０度旋回可能である。このようにして、携帯端末装置１は、図１に示すように、通常のラップトップＰＣとして使用することもできるし、図２に示すように、連結部１３を回転させて、図３、図４に示すように、入力部１０を備える筐体１４の上に表示部を備える筐体１５を重ねるように折りたたむことにより、タッチパネル入力部１６等を備えるハンドヘルドＰＣとして使用することも可能である。
【００１６】
ここで、ラップトップＰＣとは、図１に示すようなものに限られるものではなく、ＣＰＵ、メモリ、ハードディスク装置、キーボート、表示パネル等のパーツを備えたいわゆる携帯可能なパーソナルコンピュータであってよい。また、ハンドヘルドＰＣとは、図４に示すようなものに限られるものではなく、上記と同様にＣＰＵ、メモリ、ハードディスク装置、入力手段としてのタッチパネルやペン入力パネル、表示パネル等を備えるいわゆる携帯可能なコンピュータや情報処理端末であってよい。さらに、電子手帳やＰＤＡと呼ばれるカテゴリーの装置も含まれてよい。また、入力手段としてキーボードを含むものであってもよい。
【００１７】
図５に示すように、携帯端末装置１は、第１アンテナ１００及び第２アンテナ１１０を、当該表示部１１を支持する筐体１５の２つの辺にそれぞれ備える。これらのアンテナは、ワイヤレスＬＡＮカード１２０に接続されており、これらが協働して携帯端末装置１の通信手段を実現している。また、携帯端末装置１は表示部１１を支持する筐体１５の表示部１１と同じ面上に、表示方向回転ボタン１７を備える。ユーザはこのボタンを押すことにより、９０度、１８０度などあらかじめ設定された角度分、表示部１１の表示方向を切り換えることができる。なお、この表示方向回転ボタン１７は、ラップトップＰＣとして使用する状態（例えば、図１）と、ハンドヘルドＰＣとして使用する状態（例えば、図４）との双方の状態で操作できる場所であれば、携帯端末装置１の筐体のどの位置に設置されていてもよい。
【００１８】
さらに、図２に示したようにラップトップＰＣとして使用する場合と図４に示したようにハンドヘルドＰＣとして使用する場合の筐体同士の位置関係の違いよって、表示部１１の表示方向を自動的に切り換えるようにしてもよい。
【００１９】
図５は、携帯端末装置１の表示方向を第１の縦表示モードとした状態を表す。本発明に係る好適な実施形態の一例においては、当該表示モードの場合、使用者の保持の仕方を考慮して、表示方向の下側に位置する第２アンテナ１１０が使用者の人体に一番近いと判断し、第２アンテナ１１０の使用を中止する。
【００２０】
図６は、携帯端末装置１の表示方向を第２の縦表示モードとした状態を表す。図５に示した第１の縦表示モードとは、１８０度表示の方向が異なっている。携帯端末装置１の使用者は、表示方向回転ボタン１７を押下することによって、これらの表示モードの間の切り替えが可能である。本発明に係る好適な実施形態の一例においては、当該表示モードの場合、使用者の保持の仕方を考慮して、第１アンテナ１００及び第２アンテナ１１０とも使用者の人体からは離れていると判断し、双方のアンテナの使用を可能とする。この場合には、従来行われている公知の方法により、使用条件の良好なアンテナを選択して使用することになる。
【００２１】
さらに、図７示したように、携帯端末装置１の第１の横表示モードとした状態の場合、使用者の保持の仕方を考慮して、表示方向の下側に位置する第１アンテナ１００が使用者の人体に一番近いと判断し、第１アンテナ１００の使用を中止する。図８に示したように、携帯端末装置１の表示方向が第２の横表示モードとした場合、使用者の保持の仕方を考慮して、第１アンテナ１００及び第２アンテナ１１０は共に使用者の人体からは離れていると判断し、双方のアンテナの使用可能とする。この場合には、従来行われている公知の方法により、使用条件の良好なアンテナを選択して使用することになる。
【００２２】
このようにして、本発明によれば、使用者の保持の仕方を考慮して、表示方向の下側に位置するアンテナを、当該使用者の人体に近いと判断して、当該アンテナの使用を自動的に中止することができる。このことにより、携帯端末装置１を保持するユーザの手や体に近い側のアンテナを使用不可とし、手や体に遠いアンテナのみを使用可能とすることによって、常に無線を使用することが可能であるにもかかわらず、人体へのＳＡＲを可能な限り低減することが可能となる。
【００２３】
また、携帯端末装置１の筐体内部に加速度センサーを設置し、当該加速度センサーの感知した当該端末の保持の方向から、図５から図６に示す４つの使用状態を判別してもよい。具体的には、筐体の４つの辺のうち、一番下側に位置すると判断した辺にアンテナが存在する場合に、当該アンテナが使用者の人体に一番近いと判断し、当該アンテナの使用を中止する。この場合、表示部１１の表示方向の情報を用いることなく、当該判別を行うことができる。
【００２４】
更に、上述の筐体の上下関係の判断の結果に応じて、表示部の表示方向を自動的に切り換えるようにしてもよい。このようにすれば、使用者が携帯端末装置１の保持の仕方を変更するたびに、表示方向回転ボタン１７を押下することなく、表示部１１の表示方向を変更すると同時に、その表示方向に適したアンテナの切り替えを行うことができる。
【００２５】
また、携帯端末装置１をドッキングステーションにドッキングした場合（ラップトップＰＣとしての使用の場合）、当該ドッキングしたことをセンサー等により感知して、前記加速度センサーの感知した当該端末の指示の方向にかかわらず、第１アンテナ１００及び第２アンテナ１１０の双方の使用を可能とすることもできる。この場合には、従来行われている公知の方法により、使用条件の良好なアンテナを選択して使用することになる。
【００２６】
図９は、本発明に係る携帯端末装置１のハードウエア構成図である。制御部１４０は携帯端末装置１全体を制御する。また、携帯端末装置１は、第１アンテナ１００及び第２アンテナ１１０の制御を行うアンテナ制御部１３１を含む通信制御部１３０を備える。当該アンテナ制御部１３１は、上述したように使用を中止するアンテナを決定して、当該決定に従ってアンテナの使用を中止する。
【００２７】
さらに、携帯端末装置１は、加速度センサー１５０を備えてもよい。また、ドッキングステーションに接続しているか否かを感知するドッキングセンサー１６０を備えてもよい。これらのセンサーの感知結果を用いて、上述したように、アンテナ制御部１３１は制御部１４０と協働して、アンテナの制御を行う。これらの各種ハードウエアはバス１８０を介して結ばれている。記憶部１７０に記憶されたプログラムを制御部１４０が随時読み出して実行することにより、上述のハードウエアが協働して、本発明に係る各種手段を実現している。
【００２８】
加速度センサー１５０は、当業者が容易に理解するとおり、様々な仕様のものが提案されており、例えば、圧電セラミックスの素子と電極を組み合せたものがある。この圧電セラミックスの素子に、外部から加速度（例えば、静止状態であれば、重力加速度）が印加されると、この圧電セラミックスの素子が歪み、内部に応力が発生する。この応力を圧電効果により電気信号（電荷）に変換し、この電気信号より加速度の向きと大きさを検出することができる。このことにより、静止状態であれば、重力加速度の方向が検出可能となり、この方向から携帯端末装置１の保持方向を算出することができる。
【００２９】
図１０は、本発明の好適な実施形態の一例に係る携帯端末装置１の機能構成図である。制御部１４０は携帯端末装置１全体を制御する。また、制御部１４０は、第１アンテナ１００及び第２アンテナ１１０の制御を行うアンテナ制御部１３１、表示方向回転ボタン１７等の内蔵ボタンのコントロールを行う内蔵ボタンコントローラ２４０、表示部１１のコントロールを行うグラフィックコントローラ２５０等と協働して、携帯端末装置１が備える各種機能を提供している。ＯＳ（オペレーティングシステム）２００上には、ワードプロセッサ等の各種のユーザアプリケーションが稼動可能である。ＯＳ２００は上述の内蔵ボタンドライバ２２０やグラフィックドライバ２３０等で構成されるカーネルレベルプロセス群を通じて、制御部１４０や、上述のアンテナ制御部１３１、内蔵ボタンコントローラ２４０、グラフィックコントローラ２５０等を通じて各種ハードウエアを駆動する。
【００３０】
本発明に係る好適な実施形態の一例において、ユーザが携帯端末装置１の表示方向回転ボタン１７を押下すると、内蔵ボタンコントローラ２４０が当該押下したことを感知する。そして、内蔵ボタンコントローラ２４０は、内蔵ボタンドライバ２２０を通じてＯＳ２００に当該押下したことを通知する。ＯＳ２００は、あらかじめ設定された回転角度（例えば９０度）の画面回転命令を、グラフィックドライバ２３０を通じてグラフィックコントローラ２５０に送信する。グラフィックコントローラ２５０は、当該命令を受信し、当該命令に従って表示部１１の表示方向を（例えば９０度）回転させる。さらに、制御部１４０は、ＯＳ２００等を通じて表示方向回転ボタンが押下されたことを感知すると、ＯＳ２００に対して表示部１１の表示方向の確認を行う。ＯＳ２００は、グラフィックドライバ２３０を通じて、グラフィックコントローラ２５０から表示方向に関する情報を取得する。制御部１４０は、ＯＳ２００から当該表示方向に関する情報を取得し、当該表示方向に関する情報に基づいて、第１アンテナ及び第２アンテナの中止／使用の決定を行い、アンテナ制御部１３１を通じて当該決定を実行する。
【００３１】
図１１は、本発明の好適な実施形態の別の一例に係る携帯端末装置１の機能構成図である。図１０と同様に、制御部１４０は携帯端末装置１全体を制御する。また、制御部１４０は、第１アンテナ１００及び第２アンテナ１１０の制御を行うアンテナ制御部１３１、加速度センサー１５０、ドッキングセンサー１６０等のコントロールを行うデバイスコントローラ２７０、表示部１１のコントロールを行うグラフィックコントローラ２５０等と協働して、携帯端末装置１が備える各種機能を提供している。ＯＳ（オペレーティングシステム）２００上には、ワードプロセッサ等の各種のユーザアプリケーションが稼動可能である。ＯＳ２００はデバイスドライバ２６０やグラフィックドライバ２３０等で構成されるカーネルレベルプロセス群を通じて、上述の制御部１４０や、アンテナ制御部１３１、デバイスコントローラ２７０、グラフィックコントローラ２５０等を通じて各種ハードウエアを駆動する。
【００３２】
本発明に係る好適な実施形態の別の一例において、ユーザが当該保持方向の変更をすると、当該変更を加速度センサー１５０が感知する。当該保持方向の変更が感知されると、当該変更はデバイスドライバ２６０を通じてＯＳ２００に通知される。制御部１４０は、ＯＳ２００から当該変更を取得し、当該変更情報に基づいて、第１アンテナ及び第２アンテナの中止／使用の決定を行い、アンテナ制御部１３１を通じて当該決定を実行する。
【００３３】
また、さらに、本発明に係る好適な実施形態のさらに別の一例において、ドッキングセンサー１６０は、携帯端末装置１が、ドッキングステーション（図示しない）にドッキングしたことを感知する。この場合には、上述の加速度センサー１５０の場合と同様にして、制御部１４０は当該ドッキングしたことを認識し、グラフィックコントローラ２５０を通じて、表示部１１の表示方向を図８の第２の横表示モードに切り換える。さらに、アンテナ制御部１３１を通じて、第１アンテナ、第２アンテナの双方の使用を可能とする。この場合には、従来行われている公知の方法により、使用条件の良好なアンテナを選択して使用することになる。
【００３４】
図１２は、本発明の好適な実施形態の一例に係るアンテナの制御フローを示すフロー図である。まず、制御部１４０は、表示方向回転ボタン１７が押下されたか否かを判断する（ステップＳ０１）。当該ボタンが押下されたと判断した場合、制御部１４０は、携帯端末装置１上で稼動しているＯＳ（オペレーティングシステム）に、表示部１１の表示方向の問い合わせを行う（ステップＳ０２）。
【００３５】
次に、当該問い合わせの結果、図５に示した第１の縦表示モードであった場合（ステップＳ０３）、アンテナ制御部１３１は、第２アンテナ１１０の使用を中止する（ステップＳ０４）。また、当該問い合わせの結果、図６に示した第２の縦表示モードであった場合（ステップＳ０５）、アンテナ制御部１３１は、第１アンテナ１００及び第２アンテナ１１０双方とも使用を可能とする（ステップＳ０６）。この場合には、従来行われている公知の方法により、使用条件の良好なアンテナを選択して使用することになる。
【００３６】
また、当該問い合わせの結果、図７に示した第１の横表示モードであった場合（ステップＳ０７）、アンテナ制御部１３１は、第１アンテナ１００の使用を中止する（ステップＳ０８）。また、当該問い合わせの結果、図８に示した第２の横表示モードであった場合（ステップＳ０９）、アンテナ制御部１３１は、第１アンテナ１００及び第２アンテナ１１０双方とも使用を可能とする（ステップＳ１０）。この場合には、従来行われている公知の方法により、使用条件の良好なアンテナを選択して使用することになる。
【００３７】
このように当該携帯端末装置の使用を終了する（ステップＳ１１）まで、上述のステップＳ０１以降の制御を繰り返す。
【００３８】
図１３は、本発明の好適な実施形態の別の一例に係るアンテナの制御フローを示すフロー図である。まず、制御部１４０は、携帯端末装置１の保持方向が変化したか否かを判断する（ステップＳ１０１）。次に、制御部１４０が、保持方向が変化したと判断した場合であって、図５に示した第２側面が下方にあると判断した場合（ステップＳ１０３）、アンテナ制御部１３１は、第２アンテナ１１０の使用を中止する（ステップＳ１０４）。また、制御部１４０が、保持方向が変化したと判断した場合であって、図５に示した第４側面が下方にあると判断した場合（ステップＳ１０５）、アンテナ制御部１３１は、第１アンテナ１００及び第２アンテナ１１０双方とも使用を可能とする（ステップＳ１０６）。この場合には、従来行われている公知の方法により、使用条件の良好なアンテナを選択して使用することになる。
【００３９】
また、制御部１４０が、保持方向が変化したと判断した場合であって、図５に示した第１側面が下方にあると判断した場合（ステップＳ１０７）、アンテナ制御部１３１は、第１アンテナ１００の使用を中止する（ステップＳ１０８）。また、制御部１４０が、保持方向が変化したと判断した場合であって、図５に示した第３側面が下方にあると判断した場合（ステップＳ１０９）、アンテナ制御部１３１は、第１アンテナ１００及び第２アンテナ１１０双方とも使用を可能とする（ステップＳ１１０）。この場合には、従来行われている公知の方法により、使用条件の良好なアンテナを選択して使用することになる。
【００４０】
このように当該携帯端末装置の使用を終了する（ステップＳ１１１）まで、上述のステップＳ１０１以降の制御を繰り返す。
【００４１】
図１４は、本発明の好適な実施形態のさらに別の一例に係るアンテナの制御フローを示すフロー図である。まず、制御部１４０は、携帯端末装置１がドッキングステーションにドッキングしたか否かを判断する（ステップＳ１２１）。次に、制御部１４０は、ドッキングしたと判断した場合、表示部１１の表示方向を図８の第２の横表示モードに切り換え（ステップＳ１２２）、アンテナ制御部１３１は、第１アンテナ１００及び第２アンテナ１１０双方の使用を可能とする（ステップＳ１２３）。この場合には、従来行われている公知の方法により、使用条件の良好なアンテナを選択して使用することになる。
【００４２】
このように当該携帯端末装置の使用を終了する（ステップＳ１２４）まで、上述のステップＳ１２１以降の制御を繰り返す。
【００４３】
なお、上記の実施形態においては、携帯端末装置１が２つのアンテナを有する場合を説明したが、３つ以上のアンテナを有する場合には、上述と同様の方法で、表示部の表示方向の下側に位置するアンテナの使用を中止することができる。また、同様の方法で、加速度センサーで一番下側に位置すると判断したアンテナの使用を中止することができる。
【００４４】
また、本発明に係る好適な実施形態においては、送信出力を抑えたアンテナの使用は必ずしも必要ではないが、本発明は、そのようなアンテナの使用を否定するものではない。例えば、より多くのアンテナを備え、そのうち一部の送信出力を抑えたアンテナとすることもできる。
【００４５】
以上、本発明の実施形態を説明したが、具体例を例示したに過ぎず、特に本発明を限定しない。また、本発明の実施形態に記載された効果は、本発明から生じる最も好適な効果を列挙したに過ぎず、本発明による効果は、本発明の実施形態に記載された効果に限定されない。
【産業上の利用可能性】
【００４６】
本発明は、人体の近くで使用する可能性のある携帯端末装置におけるアンテナの制御に対して適用可能である。
【図面の簡単な説明】
【００４７】
【図１】本発明の好適な実施形態の一例に係る携帯端末装置１の物理的な構成の概要を示す図である。
【図２】本発明の好適な実施形態の一例に係る携帯端末装置１の筐体の動きを示す図である。
【図３】本発明の好適な実施形態の一例に係る携帯端末装置１の筐体の動きを示す図である。
【図４】本発明の好適な実施形態の一例に係る携帯端末装置１の筐体の動きを示す図である。
【図５】本発明の好適な実施形態の一例に係る携帯端末装置１の表示部１１の表示方向とアンテナの制御の関係を説明する図である。
【図６】本発明の好適な実施形態の一例に係る携帯端末装置１の表示部１１の表示方向とアンテナの制御の関係を説明する図である。
【図７】本発明の好適な実施形態の一例に係る携帯端末装置１の表示部１１の表示方向とアンテナの制御の関係を説明する図である。
【図８】本発明の好適な実施形態の一例に係る携帯端末装置１の表示部１１の表示方向とアンテナの制御の関係を説明する図である。
【図９】本発明の好適な実施形態の一例に係る携帯端末装置１の携帯端末装置１のハードウエア構成図である。
【図１０】本発明の好適な実施形態の一例に係る携帯端末装置１の機能構成図である。
【図１１】本発明の好適な実施形態の別の一例に係る携帯端末装置１の機能構成図である。
【図１２】本発明の好適な実施形態の一例に係るアンテナの制御フローを示すフロー図である。
【図１３】本発明の好適な実施形態の一例に係るアンテナの制御フローを示すフロー図である。
【図１４】本発明の好適な実施形態の一例に係るアンテナの制御フローを示すフロー図である。
【符号の説明】
【００４８】
１    携帯端末装置
１０  入力部
１１  表示部
１３  連結部
１４  筐体
１５  筐体
１６  タッチパネル入力部
１７  表示方向回転ボタン
５０  ユーザレベルプロセス群
６０  カーネルレベルプロセス群
１００  第１アンテナ
１１０  第２アンテナ
１２０  ワイヤレスＬＡＮカード
１３０  通信制御部
１３１  アンテナ制御部
１４０  制御部
１５０  加速度センサー
１６０  ドッキングセンサー
１７０  記憶部
１８０  バス
２００  ＯＳ（オペレーティングシステム）
２１０  ユーザアプリケーション
２２０  内蔵ボタンドライバ
２３０  グラフィックドライバ
２４０  内蔵ボタンコントローラ
２５０  グラフィックコントローラ
２６０  デバイスドライバ
２７０  デバイスコントローラ
【図１】
2006340180.tif 000003
【図２】
2006340180.tif 000004
【図３】
2006340180.tif 000005
【図４】
2006340180.tif 000006
【図５】
2006340180.tif 000007
【図６】
2006340180.tif 000008
【図７】
2006340180.tif 000009
【図８】
2006340180.tif 000010
【図９】
2006340180.tif 000011
【図１０】
2006340180.tif 000012
【図１１】
2006340180.tif 000013
【図１２】
2006340180.tif 000014
【図１３】
2006340180.tif 000015
【図１４】
2006340180.tif 000016